(57)【要約】      （修正有）【課題】宗旨宗派や慣習等が相違しても設計，製造負担及び在庫負担を軽減してコスト削減を可能にし、墓石等における線香立てや蝋燭立ての仕様やデザインの変更をユーザーが簡単に行える被点火物の収容器具を提供する。【解決手段】墓石等の基台Ｂに固定され、カバー１０が着脱自在に取り付けられる受け部１３と、この受け部に着脱自在に設けられる被点火物支持体１１，１２と、受け部を挿通して基台に形成された取付部Ｂａに係合され、受け部を基台に着脱自在に固定するための固定部材１１５，１２５とを有し、カバー、受け部、被点火物支持体のうちの少なくとも一つを、形状、大きさ又はデザインを異ならせて、複数種類を準備するとともに、種類の異なるカバー、受け部、被点火物支持体を相互に交換可能に構成し、固定部材及び取付部を前記カバー、受け部、被点火物支持体で共用可能とした。【選択図】図３
2016067564.tif 000002
【特許請求の範囲】
【請求項１】
点火した線香や蝋燭などの被点火物を収容することができ、風や雨による前記被点火物への影響を抑制できるようにカバーを備えた被点火物の収容器具において、
墓石等の基台に固定され、前記カバーが着脱自在に取り付けられる受け部と、
前記基台に形成された取付部に係合され、前記受け部を前記基台に着脱自在に固定するための固定部材と、
前記受け部に着脱自在に設けられ前記被点火物を支持する被点火物支持体とを有し、
前記カバー、前記受け部、前記被点火物支持体のうちの少なくとも一つを、形状、大きさ又はデザインを異ならせて複数種類を準備するとともに、種類の異なる前記カバー、前記受け部、前記被点火物支持体を相互に交換可能に構成し、前記固定部材及び前記取付部を種類の異なる前記カバー、前記受け部及び前記被点火物支持体の間で共用可能としたこと、
を特徴とする被点火物の収容器具。
【請求項２】
前記受け部と前記基台との間に配置される台座をさらに有し、この台座を種類の異なる前記カバー、前記受け部及び前記被点火物支持体との間で相互に交換可能に構成するとともに、前記固定部材及び前記取付部を種類の異なる前記カバー、前記受け部、前記被点火物支持体及び前記台座の間で共用可能としたことを特徴とする請求項１に記載の被点火物の収容器具。
【請求項３】
前記受け部、前記被点火物支持体及び前記受け部及び前記基台との間に配置される台座の底部に貫通孔が形成され、この貫通孔を通して前記固定部材を挿通するとともに、前記受け部、前記被点火物支持体又は前記台座と前記固定部材とを連結する連結手段を設けたことを特徴とする請求項１又は２に記載の被点火物の収容器具。
【請求項４】
前記固定部材がボルトであり前記連結手段が前記ボルトに螺入されるナットで、前記基台に形成された螺旋孔に前記ボルトを螺入するとともに、前記ボルトに前記ナットを螺入することで、前記受け部、前記被点火物支持体又は前記台座と前記固定部材とを前記基台に固定することを特徴とする請求項３に記載の被点火物の収容器具。
【請求項５】
前記固定部材が前記被点火物支持体に一体に形成されていることを特徴とする請求項１又は２に記載の被点火物の収容器具。
【請求項６】
前記被点火物支持体の前記固定部材が、前記墓石等の前記基台に取り付けられることのある他の被取付物の固定部材と共通の前記取付部を利用できるものであることを特徴とする請求項１〜５のいずれかに記載の被点火物の収容器具。
【発明の詳細な説明】
【技術分野】
【０００１】
本発明は、墓前に供えられる線香や蝋燭などの被点火物を収容する器具であって、雨や風によって消えにくいようにカバーを有し、地域や宗旨宗派、慣習などの違いに応じた多種多様な仕様やデザインに簡単に対応が可能で、かつ、仕様やデザインが違っても専用の工具や設計を必要とせずに墓石等に簡単に取り付けることができ、墓石設置後に仕様やデザインを変更する場合にも、専用の工具や設計及び専門業者による特段の工事を必要とせずに、ユーザーが自ら簡単に変更を行うことのできる被点火物の収容器具に関する。
【背景技術】
【０００２】
墓前に供える線香や蝋燭は地域や慣習、宗旨宗派等によって異なり、線香のみを供えて蝋燭を供えないところもあれば、線香と蝋燭の両方を供えるところもある。また、線香を立てて供える宗派もあれば横にした状態で供える宗派もある。このような地域や慣習、宗旨宗派等の相違の他、近年では雨や風による影響を抑制するために、カバー付きの線香立てや蝋燭立ても市販されているが、線香立てや蝋燭立ては地域や慣習、宗旨宗派等によって相違する他、ユーザーの好みもあって多様化が進んでいる。
しかし、これら線香立てや蝋燭立ては、各仕様やデザインごとに個別に専用設計されて個別に製造され、個別の線香立てや蝋燭立てに合わせて墓石等に取付部が形成されていて、相互に互換性が無いのが現状である。
そのため、墓石メーカーにおいては、地域や慣習、宗旨宗派等の相違に応じて専用に設計され製造された多種多様の仕様又はデザインの線香立てや蝋燭立てを一定量ストックする必要がある上、この多種多様な仕様又はデザインの線香立てや蝋燭立てに応じて、墓石等の取付部を設計して加工する必要があった。
一方、ユーザーにおいても、既に設置された墓石等における線香立てや蝋燭立ての仕様やデザインを変更したいと希望する場合があるが、各々が専用に設計、製造され取付部も専用であるため、専門の業者に依頼し専用の工具を使って工事をしてもらわなければならず、費用が高く付くという問題がある。さらに、工事を行う業者においても、変更を行おうとする墓石等や線香立て，蝋燭立てに応じて専用の工具を準備しなければならない上、大型の専用機器が使えない現地での作業は負担が大きいほか、熟練を要する高度な手作業となるため、非熟練者が作業をすると墓石等に傷を付けるおそれがあるという問題がある。
さらに、線香立てや蝋燭立ての他に花立て、水鉢、香炉など（これらを総称して被取付物という）を墓石等に取り付けることがあるが、これら他の被取付物についても個々が専用に設計され製造されていて、かつ、個々に取付部の形状や取付構造、大きさなどがまちまちであることから、上記と同様の問題が存在している。
【０００３】
なお、線香立てにも蝋燭立てにも利用できる被点火物の収容器具が特許文献１，２で提案されている。
しかし、これら文献に記載の被点火物の収容器具は、線香や蝋燭の点火部分が被点火物の収容器具から露出していて、雨風を凌げる構成にはなっていない。
また、特許文献３に記載の被点火物の収容器具は、蝋燭立てと線香立てとのデザインの統一性は図られているものの、予め墓石等に台座定着用アンカーなどで蝋燭立て及び線香立てを固定し、それぞれに専用設計のカバーを被せたものであり、相互の互換性がなく、上記の問題を解決することはできない。
【先行技術文献】
【特許文献】
【０００４】
【特許文献１】特開２００３−２４５１９０号公報
【特許文献２】特開２００９−２６１５３４号公報
【特許文献３】特開２００６−３２２１７８号公報
【発明の開示】
【発明が解決しようとする課題】
【０００５】
本発明は上記の問題点を解決するためになされたもので、墓石等のメーカーの設計，製造負担及び在庫負担を軽減してコスト削減を可能にするとともに、ユーザーが既存の墓石等における線香立てや蝋燭立てなどの仕様やデザインの変更を自身で簡単に行うことができる被点火物の収容器具の提供を目的とする。
【課題を解決するための手段】
【０００６】
上記課題を解決するために、請求項１に記載の被点火物の収容器具は、点火した線香や蝋燭などの被点火物を収容することができ、風や雨による前記被点火物への影響を抑制できるようにカバーを備えた被点火物の収容器具において、墓石等の基台に固定され、前記カバーが着脱自在に取り付けられる受け部と、前記基台に形成された取付部に係合され、前記受け部を前記基台に着脱自在に固定するための固定部材と、前記受け部に着脱自在に設けられ前記被点火物を支持する被点火物支持体とを有し、前記カバー、前記受け部、前記被点火物支持体のうちの少なくとも一つを、形状、大きさ又はデザインを異ならせて複数種類を準備するとともに、種類の異なる前記カバー、前記受け部、前記被点火物支持体を相互に交換可能に構成し、前記固定部材及び前記取付部を種類の異なる前記カバー、前記受け部及び前記被点火物支持体の間で共用可能とした構成としてある。
【０００７】
請求項２に記載するように、前記受け部と前記基台との間にさらに台座を設けてもよい。この場合、前記台座は、種類の異なる前記カバー、前記受け部及び前記被点火物支持体との間で相互に交換可能に構成するとともに、前記固定部材及び前記取付部を種類の異なる前記カバー、前記受け部、前記被点火物支持体及び前記台座の間で共用可能に構成する。
【０００８】
請求項３に記載するように、前記受け部、前記被点火物支持体及び前記受け部と前記基台との間に配置される台座の底部に貫通孔が形成され、この貫通孔を通して前記固定部材を挿通するとともに、前記受け部、前記被点火物支持体又は前記台座と前記固定部材とを連結する連結手段を設けてもよく、請求項４に記載するように、前記固定部材をボルトとし前記連結手段をナットとして、このボルトを前記基台に形成された螺旋孔に螺入するとともに、前記ボルトに前記ナットを螺入することで、前記受け部、前記被点火物支持体又は前記台座と前記固定部材とを固定するようにしてもよい。
【０００９】
また、一前記固定部材は、請求項５に記載するように、前記被点火物支持体に一体に形成してもよい。
上記の構成によれば、前記受け部に蝋燭立て又は線香立てなどの被点火物支持体を収容した状態でボルト等の固定部材を前記被点火物支持体から受け部を挿通させて墓石等の基台の螺旋孔に螺入すれば、前記基台に受け部と被点火物支持体を固定することができる。そして、前記カバーを前記受け部に取り付けることで、被点火物の収容器具を墓石等の基台への設置が完了する。
さらに、請求項６に記載するように、前記被点火物支持体の前記固定部材が、前記墓石等の前記基台に取り付けられることのある他の被取付物の固定部材と共通の前記取付部を利用できるものとすることで、花立て、水鉢、香炉などを前記基台に取り付ける取付部を使って前記被点火物支持体を取り付けることが可能になる。
【発明の効果】
【００１０】
本発明によれば、カバー、受け部、線香立てや蝋燭立てなどの被点火物支持体及び台座を共通の設計とし、これらを種々に組み合わせることで多種多様な被点火物の収容器具を得ることができるので、宗旨宗派や地域、慣習に相違やユーザーの好みが多種多様になる場合であっても、共通の部材で対応が可能になる。また、固定部材や取付部、取付構造も墓石等の相違にかかわらず共通にできるので、専用の設計や加工が不要になる。
さらに、前記被点火物支持体の前記固定部材を、前記墓石等の前記基台に取り付けられる他の被取付物の固定部材と共用可能なものとすれば、花立て、水鉢、香炉などを前記基台に取り付ける取付孔を使って前記被点火物支持体を取り付けることが可能になる。
【００１１】
そのため、墓石メーカーにおいては、専用の設計，製造負担及び在庫負担が軽減されてコストを削減することができ、また、ユーザーにおいては、既存の墓石等において線香立てや蝋燭立てなどの仕様やデザインの変更を行おうとする場合に、これら作業を自ら簡単に行うことが可能になる。さらに、種々の仕様やデザインの各種部材を随時購入し、ユーザーの好みや季節の変化、行事などに応じて各部材の組み合わせを適宜に選択することで、ユーザーが自分で仕様やデザインを自由に変更することが可能になる。
【発明を実施するための最良の形態】
【００１２】
以下、本発明の好適な一実施形態を、図面を参照しながら詳細に説明する。
図１は、本発明の被点火物の収容器具の一実施形態にかかり、その分解斜視図、図２は図１の被点火物の収容器具の組立斜視図である。
被点火物の収容器具１は、図１に示すように、図示しない墓石等の基台に取り付けられる受け部１３と、この受け部１３に着脱自在に取り付けられるカバー１０と、受け部１３に着脱自在に取り付けられ、カバー１０内に収容される線香立て１１又は蝋燭立て１２と、受け部１３と前記基台との間に任意に設けられる台座１４とを有している。
【００１３】
カバー１０は、アルミやチタン，ステンレス，銅，真鍮等のような耐腐食性及び耐熱性の高い金属で筒状に形成された胴部１０２と、胴部１０２の上端に取り付けられ同様の金属で形成された屋根部１０１とを有している。屋根部１０１は胴部１０２の上端にボルトや鑞付け等で固定的に取り付けられていてもよいが、フック等の係合部や磁石などによって胴部１０２に着脱自在とすることで、カバー１０を外さなくても蝋燭や線香に点火することが可能になる。
胴部１０２には蝋燭の炎が見えるように窓部１０３が形成されている。この窓部１０３には、耐熱性の透明樹脂や硝子が嵌め込まれている。また、胴部１０２の下端には、蝋燭の燃焼に必要な空気を取り入れるための空気孔１０５が形成され、上端には、線香の煙を排出するための排煙口１０６が形成されている。
【００１４】
カバー１０は、胴部１０２の下端開口を受け部１３に嵌め付けることで、受け部１３を介して墓石等の基台に取り付けられる。
受け部１３はアルミや真鍮等の金属で有底筒状に形成され、底部１３３には後述するボルト１１５，１２５が挿通できる貫通孔（図には現れず）が形成されている。また、筒状の本体１３１の側面には、カバー１０の胴部１０２に形成された係合溝１０４と係合できる係合ピン１３２が設けられている。
【００１５】
カバー１０の胴部１０２に形成された係合溝１０４は、上下方向の縦溝と左右方向の横溝とから略横向きＬ字状に形成されている。前記縦溝の下端は胴部１０２の下端縁に開放している。そして、前記縦溝の開放部分に係合ピン１３２を位置合わせし、縦溝の上端まで係合ピン１３２を押し込んだ後、図示の例では胴部１０２を反時計回り方向に回転させることで、係合ピン１３２が前記横溝に入り込んでロック状態となる。これによりカバー１０が受け部１３に取り付けられる。
カバー１０を受け部１３から取り外すには、上記と逆の手順を行えばよい。
【００１６】
受け部１３の内部には、被点火物支持体である線香立て１１又は蝋燭立て１２が選択的に取り付け可能である。
線香立て１１は、受け部１３の本体１３１内及びカバー１０の胴部１０２内に収容される金属や陶器等で形成された有底筒状の本体１１１を供えている。本体１１１の底部には、線香の燃えかすを取り出すための開口１１１ａが一つ又は複数形成されている。また、本体１１１の内部には、線香と本体１１１とが直接接触しないようにして立ち消えを防止するために、螺旋状に巻回された金属線１１２などを配置するとよい。
【００１７】
蝋燭立て１２は、受け部１３の本体１３１内及びカバー１０の胴部１０２内に収容される金属や陶器等で形成された受け皿１２１と、この受け皿１２１の中央に立設させた蝋燭立て用のピン１２２とを有している。
線香立て１１及び蝋燭立て１２の底部には、固定部材であるボルト１１５，１２５が挿通できる貫通孔を開ける。そして、ボルト１１５又はボルト１２５をこの貫通孔を挿通させ、さらに受け部１３の前記貫通孔を挿通させて、墓石等の基台の所定位置に形成された螺旋孔にボルト１１５又はボルト１２５を螺入することで、受け部１３と線香立て１１又は受け部１３と蝋燭立て１２とが基台に固定される。
【００１８】
線香立て１１とボルト１１５及び蝋燭立て１２とボルト１２５は、予め溶接や鑞付け等で一体に形成されていてもよいが、ナット１２３を用いて連結固定されていてもよい。頭部にプラス溝又はマイナス溝が形成されたボルトや六角ボルトを用いることで、ナット１２３を不要にできる。ナットやボルトは、ドライバーやスパナなどの市販工具で簡単に着脱することができる。
なお、蝋燭立て用のピン１２２は、ナット１２３又はボルト１２５の一端に鑞付けや溶接等で取り付けてもよいし、ボルト１２３の一部を削成して蝋燭立て用のピン１２２としてもよい。
また、図示するように、アタッチメント１２４をボルト１１５又はボルト１２５に挿通させることで、受け部１３，線香立て１１又は蝋燭立て１２の高さを自在に調節することが可能になる。
【００１９】
上記した受け部１３，カバー１０，線香立て１１又は蝋燭立て１２とで被点火物の収容器具１を構成することができる。本発明においては、基部と受け部１３との間に台座１４を介在させることが可能である。そのため、地域や慣習、宗派の違い、ユーザーの求めに応じて、種々のデザインの台座１４を被点火物の収容器具１に取り付けることが可能である。
図示の例では、蓮華状の台座１４の底部にボルト１１５又はボルト１２５が挿通できる貫通孔（図に現れず）が形成されている。そして、台座１４の内部に受け部１３を収容し、線香立て１１又は蝋燭立て１２及び受け部１３の貫通孔からボルト１１５又はボルト１２５を前記貫通孔に挿通させて前記基台の螺旋孔に螺入することで、台座１４が受け部１３及び線香立て１１又は蝋燭立て１２とともに前記基台に固定される。
【００２０】
上記構成の被点火物の収容器具１においては、地域、慣習、宗派等の相違に応じて、予めいくつかのデザインのカバー１０，受け部１３，線香立て１１，蝋燭立て１２及び台座１４を準備しておく。そして、墓石等の注文に応じて、必要なセットを墓石等とともに出荷すればよい。
【００２１】
例えば、線香しか墓前に供えない慣習や宗派の墓石には、カバー１０，受け部１３，線香立て１１の各部材を組み合わせる。また、ユーザーの希望に応じて一定のデザインの台座１４も添付する。
このように、本発明によれば、地域や宗派、慣習等が異なっても共通の部材で対応することが可能になり、個別に各部材を設計、製造する必要がなく、余分な在庫が不要になるうえ迅速な対応と被点火物の収容器具１のコストの大幅削減が可能になる。
【００２２】
次に、仕様やデザインを変更する場合の本発明の作用の一例を、図３を参照しつつ説明する。
図３に示すように、墓石等の基台Ｂに、この基台Ｂに取り付けられることのある線香立て、蝋燭立て、花立て、水鉢、香炉などの被取付物の固定部材（ボルト）に共通の螺旋孔Ｂａを予め形成しておく。螺旋孔Ｂａは、例えば基台Ｂに下孔を開け、この下孔に接着材やセメントを介在させた状態で六角長ナットを埋設することで基台Ｂに形成することができる。
【００２３】
図３（ａ）は、螺旋孔Ｂａにボルト１１５又はボルト１２５を螺入して線香立て１１又は蝋燭立て１２を取り付けた例を示している。
図３（ａ）の状態から、例えばユーザーが台座１４を追加したいと希望する場合は、ユーザーは台座１４を購入し、ボルト１１５又はボルト１２５を緩めて基台Ｂから線香立て１１又は蝋燭立て１２を取り外し、台座１４を基台Ｂと線香立て１１又は蝋燭立て１２との間に介在させる。そして、この状態で台座１４及び線香立て１１又は蝋燭立て１２の底部の貫通孔にボルト１１５又はボルト１２５を挿通させて螺旋孔Ｂａに螺入することで、図３（ｂ）に示すように基台Ｂに台座１４を線香立て１１又は蝋燭立て１２とともに取り付けることができる（図３中、符号Ｉで示す変更パターン）。
【００２４】
図３（ａ）の状態から、例えばユーザーが線香立て１１や蝋燭立て１２にカバー１０を付加したいと希望する場合は、ユーザーがカバー１０及び受け部１３（図１参照）を購入することで、図３（ｃ）に示すように基台Ｂにカバー１０を線香立て１１又は蝋燭立て１２とともに取り付けることができる（図３中、符号IIで示す変更パターン）。
【００２５】
図３（ｂ）の状態から、例えばユーザーが線香立て１１又は蝋燭立て１２及び台座１４にさらにカバー１０を付加したいと希望する場合は、ユーザーがカバー１０及び受け部１３（図１参照）を購入することで、図３（ｄ）に示すように基台Ｂにカバー１０を台座１４及び線香立て１１又は蝋燭立て１２とともに取り付けることができる（図３中、符号IIIで示す変更パターン）。
図３（ｃ）の状態から、例えばユーザーが台座１４を付加したいと希望する場合は、ユーザーが台座１４を購入することで、図３（ｄ）に示すように基台Ｂに台座１４をカバー１０及び線香立て１１又は蝋燭立て１２とともに取り付けることができる（図３中、符号ＩＶで示す変更パターン）。
【００２６】
また、図３（ａ）の状態から、例えばユーザーが線香立て１１や蝋燭立て１２にさらに台座１４とカバー１０を付加したいと希望する場合は、ユーザーが台座１４、カバー１０及び受け部１３を購入することで、図３（ｄ）に示すように基台Ｂにカバー１０及び台座１４を線香立て１１又は蝋燭立て１２とともに取り付けることができる（図３中、符号Ｖで示す変更パターン）。
このように本発明によれば、図３（ａ）に示すように線香立て１１や蝋燭立て１２を単独で基台Ｂに取り付けることができるほか、例えば線香立て１１から蝋燭立て１２への交換などを簡単に行うことができる。また、カバー１０及び受け部１３や台座１４を随時購入することで、図３（ｂ），（ｃ），（ｄ）に示すように簡単に仕様やデザインの変更を行うことができる。
そして、上記したこれらの仕様やデザインの変更作業は、ドライバー等の一般的な工具があればユーザーが自ら簡単に行うことができる。
【００２７】
本発明の好適な実施形態を説明したが、本発明は上記の実施形態に限定されない。
例えば、上記の説明において線香立て１１は、線香を立てた状態で保持するものであるが、カバー１０及び受け部１３の内部に収容できるのであれば、図４に示すように横向きに寝かせた状態で線香を保持する線香立て（線香置き台）１１′であってもよい。
また、受け部１３に収容可能な被点火物支持体であれば、線香立て１１や線香置き台１１′、蝋燭立て１２に限らず、香炉など他のものにも本発明を適用することは可能である。
【００２８】
さらに、上記の説明では固定部材としてボルトを用いているが、受け部１３を基台に着脱自在に固定することができるのであればボルトには限られず、例えばバネの付勢力を利用したプッシュピンを利用してもよい。また、取付部をボルトとし、固定部材をナット又は螺旋孔としてもよい。
また、カバー１０と受け部１３とは係合溝１０４と係合ピン１３２とにより着脱自在としているが、カバー１０と受け部１３とを簡単に着脱できるものであれば、磁石や止めネジ等の他の手段を用いてもよい。
【図面の簡単な説明】
【００２９】
【図１】本発明の被点火物の収容器具の一実施形態にかかり、その分解斜視図である。
【図２】図１の被点火物の収容器具の組立斜視図である。
【図３】仕様やデザインの変更をする場合の本発明の作用の一例を説明する図である。
【図４】本発明の別の実施形態にかかり、受け部に線香置き台を設けた一例を示す斜視図である。
【符号の説明】
【００３０】
１      被点火物の収容器具
１０    カバー
１０１  屋根部
１０２  胴部
１０３  窓部
１０４  係合溝
１０５  空気孔
１０６  排煙口
１１    線香立て（被点火物支持体）
１１１  本体
１１１ａ  開口
１１２  金属線
１１５  ボルト（固定部材）
１２    蝋燭立て（被点火物支持体）
１２２  ピン
１２３  ナット（連結手段）
１２４  アタッチメント
１２５  ボルト（固定部材）
１３    受け部
１３１  本体
１３２  係合ピン
１３３  底部
１４    台座
Ｂ      基台
Ｂａ    螺旋孔（取付部）
【図１】
2016067564.tif 000003
【図２】
2016067564.tif 000004
【図３】
2016067564.tif 000005
【図４】
2016067564.tif 000006